(57)【要約】【課題】特別なキー操作を行わなくてもユーザの意思の下で第１情報に関連する第２情報を簡単に出力できるようにする。【解決手段】ＣＰＵ１は、スタイル検出部１０によって検出されたスタイルを判別し、オープンスタイルの状態で指定された第１情報「問題情報」が表示部８に出力されている場合において、オープンスタイルからビュースタイルに変更された場合に、この第１情報に関連する第２情報として、その「ヒント情報」あるいは「正解情報」を表示部８に出力させる。【選択図】  図２
2010041635.tif 000002
【特許請求の範囲】
【請求項１】
本体筐体と表示部を有する表示筐体との連結状態に応じて複数のスタイルに変更可能な携帯端末装置であって、
前記スタイルとして、前記表示部が露出する第１スタイルと前記表示部が露出する第２スタイルを検出する検出手段と、
この検出手段によって第１スタイルが検出されている状態において指定された第１情報を前記表示部に出力させる第１出力制御手段と、
前記第１スタイルで前記第１情報が前記表示部に出力されている状態において前記検出手段によって第２スタイルへの変更が検出された場合に、当該第１情報に関連する第２情報を前記表示部に出力させる第２出力制御手段と、
を具備したことを特徴とする携帯端末装置。
【請求項２】
前記第２出力制御手段は、前記第１情報に代えて前記第２情報を前記表示部に出力させる、
ようにしたことを特徴とする請求項１記載の携帯端末装置。
【請求項３】
前記第１スタイルから前記第２スタイルへの変更途中では、前記第１情報に関連する第２情報へのヒント情報を前記表示部に出力させる第３出力制御手段を更に備える、
ようにしたことを特徴とする請求項１記載の携帯端末装置。
【請求項４】
前記検出手段によって第１スタイルへの戻し変更が検出された場合に、前記第１出力制御手段は、前記第１情報とは異なる他の第１情報を指定して前記表示部に出力させる、
ようにしたことを特徴とする請求項１記載の携帯端末装置。
【請求項５】
前記第１情報は問題情報であって、この問題情報に対してユーザ入力された回答が当該第１情報に関連する第２情報に該当するか否かを判別する判別手段を更に備え、
この判別手段によって入力回答が第２情報に該当すると判別されている場合に、前記第１出力制御手段は、前記スタイル戻し変更の検出に応答して前記第１情報とは異なる他の第１情報を前記表示部に出力させる、
ようにしたことを特徴とする請求項４記載の携帯端末装置。
【請求項６】
前記判別手段によって入力回答が第２情報に該当しないことが判別された場合に、前記第１出力制御手段は、前記スタイル戻し変更の検出に応答して前記第１情報を前記表示部に再度出力させる、
ようにしたことを特徴とする請求項５記載の携帯端末装置。
【請求項７】
情報を出力する携帯端末装置であって、
当該端末筐体の変位を検出する検出手段と、
指定された第１情報を出力させる第１出力制御手段と、
前記第１情報の出力後に前記検出手段によって検出された端末筐体の変位に応じて当該端末筐体の向きが変更されたか否かを判別する判別手段と、
この判別手段によって当該端末筐体の向きが変更されたと判別された際に、第１情報に関連する第２情報を読み出して出力させる第２出力制御手段と、
を具備したことを特徴とする携帯端末装置。
【請求項８】
前記判別手段は、更に、端末筐体の向きが変更された際の変更度合いを判別し、
前記第２出力制御手段は、第１情報に対応する複数の第２情報の中から前記判別手段によって判別された変更度合いに対応付けられている第２情報を読み出して出力させる
ようにしたことを特徴とする請求項７記載の携帯端末装置。
【請求項９】
前記第２出力制御手段は、前記第１情報に関連する第２情報を当該第１情報の一部に重ね合わせて表示させる、
ようにしたことを特徴とする請求項７記載の携帯端末装置。
【請求項１０】
前記第１出力制御手段は、前記第１情報が指定された際に前記判別手段によって判別された端末筐体の向きに合わせて当該第１情報を表示させる、
ようにしたことを特徴とする請求項９記載の携帯端末装置。
【請求項１１】
前記第２出力制御手段は、第１情報に関連する第２情報を当該第１情報に代えて表示させる、
ようにしたことを特徴とする請求項７記載の携帯端末装置。
【請求項１２】
前記第２出力制御手段は、前記判別手段によって当該端末筐体の向きが変更されたと判別された際に、変更された向きに応じて前記第２情報の向きを変更して表示させる、
ようにしたことを特徴とする請求項９あるいは１１記載の携帯端末装置。
【請求項１３】
前記判別手段は、更に、前記検出手段によって検出された端末筐体の変位に応じて端末筐体が振られたか否かを判別し、
前記第１出力制御手段は、前記判別手段によって端末筐体が振られたと判別された場合に、新たな第１情報を指定して出力させる、
ようにしたことを特徴とする請求項７記載の携帯端末装置。
【請求項１４】
コンピュータに対して、
本体筐体と表示部を有する表示筐体との連結状態に応じて変更可能な複数のスタイルうち、前記表示部が露出する第１スタイルと前記表示部が露出する第２スタイルを検出する機能と、
前記第１スタイルが検出されている状態において指定された第１情報を前記表示部に出力する機能と、
前記第１スタイルで前記第１情報が表示されている状態において第２スタイルへの変更が検出された場合に、当該第１情報に関連する第２情報を前記表示部に出力する機能と、
を実現させるためのプログラム。
【請求項１５】
コンピュータに対して、
端末筐体の変位を検出する機能と、
指定された第１情報を出力させる機能と、
前記第１情報の出力後に前記検出された端末筐体の変位に応じて当該端末筐体の向きが変更されたか否かを判別する機能と、
当該端末筐体の向きが変更されたと判別された際に、第１情報に関連する第２情報を読み出して出力する機能と、
を実現させるためのプログラム。
【発明の詳細な説明】
【技術分野】
【０００１】
この発明は、情報を出力する携帯端末装置及びプログラムに関する。
【背景技術】
【０００２】
近年、携帯端末装置は辞書検索機能が強化され、例えば、英単語学習、言語翻訳、漢字学習が容易に行えるようになった。この辞書検索機能は、任意の言葉が指定されると、その言葉の訳語や意味を検索して表示するようになっているが、その訳語や意味表示のためには、辞書の種類を指定したり、検索実行を指示したりするなど、煩雑な辞書検索操作を行う必要があった。
【０００３】
そこで、従来、折り畳み式の携帯電話では、例えば、単語の訳が主表示部されている状態でその筐体が折り畳まれると、この単語と訳とを自動登録して、副表示部にその訳を表示させ、この副表示部に単語の訳が表示されている状態でその筐体の折り畳みが開かれると、主表示部にその単語の訳の詳細を表示するようにした技術が知られている（特許文献１参照）。
【特許文献１】特開２００４−９４３６６号公報
【発明の開示】
【発明が解決しようとする課題】
【０００４】
上述の特許文献１の技術にあっては、特別なキー操作を行わなくても、筐体を折り畳んだり、その折り畳みを開いたりすることによって情報を切り替え表示させることが可能であるが、単語訳の詳細表示を得るためには、筐体を折り畳んだのちにその折り畳みを開く操作を行う必要があった。また、実装されている個所が異なる主表示部と副表示部とを使い分けて、単語訳とその詳細とを専用の画面（主表示部，副表示部）に個別に出力する必要があった。
【０００５】
この発明の課題は、特別なキー操作を行わなくても、ユーザの意思の下で第１情報に関連する第２情報を簡単に出力できるようにすることである。
【課題を解決するための手段】
【０００６】
上述した課題を解決するために請求項１記載の発明は、本体筐体と表示部を有する表示筐体との連結状態に応じて複数のスタイルに変更可能な携帯端末装置であって、前記スタイルとして、前記表示部が露出する第１スタイルと前記表示部が露出する第２スタイルを検出する検出手段と、この検出手段によって第１スタイルが検出されている状態において指定された第１情報を前記表示部に出力させる第１出力制御手段と、前記第１スタイルで前記第１情報が表示されている状態において前記検出手段によって第２スタイルへの変更が検出された場合に、当該第１情報に関連する第２情報を前記表示部に出力させる第２出力制御手段と、を具備したことを特徴とする。
【０００７】
請求項１に従属する発明として、前記第２出力制御手段は、前記第１情報に代えて前記第２情報を前記表示部に出力させる、ようにしたことを特徴とする請求項２記載の発明であってもよい。
【０００８】
請求項１に従属する発明として、前記第１スタイルから前記第２スタイルへの変更途中では、前記第１情報に関連する第２情報へのヒント情報を前記表示部に出力させる第３出力制御手段を更に備える、ようにしたことを特徴とする請求項３記載の発明であってもよい。
【０００９】
請求項１に従属する発明として、前記検出手段によって前記第１スタイルへの戻し変更が検出された場合に、前記第１出力制御手段は、前記第１情報とは異なる他の第１情報を指定して前記表示部に出力させる、ようにしたことを特徴とする請求項４記載の発明であってもよい。
【００１０】
請求項４に従属する発明として、前記第１情報は問題情報であって、この問題情報に対してユーザ入力された回答が当該第１情報に関連する第２情報に該当するか否かを判別する判別手段を更に備え、この判別手段によって入力回答が第２情報に該当すると判別されている場合に、前記第１出力制御手段は、前記スタイル戻し変更の検出に応答して前記第１情報とは異なる他の第１情報を前記表示部に出力させる、ようにしたことを特徴とする請求項５記載の発明であってもよい。
【００１１】
請求項５に従属する発明として、前記判別手段によって入力回答が第２情報に該当しないことが判別された場合に、前記第１出力制御手段は、前記スタイル戻し変更の検出に応答して前記第１情報を前記表示部に再度出力させる、ようにしたことを特徴とする請求項６記載の発明であってもよい。
【００１２】
また、上述した課題を解決するために請求項７記載の発明は、情報を出力する携帯端末装置であって、当該端末筐体の変位を検出する検出手段と、指定された第１情報を出力させる第１出力制御手段と、前記第１情報の出力後に前記検出手段によって検出された端末筐体の変位に応じて当該端末筐体の向きが変更されたか否かを判別する判別手段と、この判別手段によって当該端末筐体の向きが変更されたと判別された際に、第１情報に関連する第２情報を読み出して出力させる第２出力制御手段と、を具備したことを特徴とする。
【００１３】
請求項７に従属する発明として、前記判別手段は、更に、端末筐体の向きが変更された際の変更度合いを判別し、前記第２出力制御手段は、第１情報に対応する複数の第２情報の中から前記判別手段によって判別された変更度合いに対応付けられている第２情報を読み出して出力させる、ようにしたことを特徴とする請求項８記載の発明であってもよい。
【００１４】
請求項７に従属する発明として、前記第２出力制御手段は、前記第１情報に関連する第２情報を当該第１情報の一部に重ね合わせて表示させる、ようにしたことを特徴とする請求項９記載の発明であってもよい。
【００１５】
請求項９に従属する発明として、前記第１出力制御手段は、前記第１情報が指定された際に前記判別手段によって判別された端末筐体の向きに合わせて当該第１情報を表示させる、ようにしたことを特徴とする請求項１０記載の発明であってもよい。
【００１６】
請求項７に従属する発明として、前記第２出力制御手段は、第１情報に関連する第２情報を当該第１情報に代えて表示させる、ようにしたことを特徴とする請求項１１記載の発明であってもよい。
【００１７】
請求項９あるいは請求項１１に従属する発明として、前記第２出力制御手段は、前記判別手段によって当該端末筐体の向きが変更されたと判別された際に、変更された向きに応じて前記第２情報の向きを変更して表示させる、ようにしたことを特徴とする請求項１２記載の発明であってもよい。
【００１８】
請求項７に従属する発明として、前記判別手段は、更に、前記検出手段によって検出された端末筐体の変位に応じて端末筐体が振られたか否かを判別し、前記第１出力制御手段は、前記判別手段によって端末筐体が振られたと判別された場合に、新たな第１情報を指定して出力させる、ようにしたことを特徴とする請求項１３記載の発明であってもよい。
【００１９】
また、上述した課題を解決するために請求項１４記載の発明は、コンピュータに対して、本体筐体と表示部を有する表示筐体との連結状態に応じて変更可能な複数のスタイルうち、前記表示部が露出する第１スタイルを検出したり、前記表示部が露出する第２スタイルを検出したりする機能と、前記第１スタイルが検出されている状態において指定された第１情報を前記表示部に出力する機能と、前記第１スタイルで前記第１情報が表示されている状態において第２スタイルへの変更が検出された場合に、当該第１情報に関連する第２情報を前記表示部に出力する機能と、を実現させるためのプログラムを特徴とする。
【００２０】
また、上述した課題を解決するために請求項１５記載の発明は、端末筐体の変位を検出する機能と、指定された第１情報を出力させる機能と、前記第１情報の出力後に前記検出された端末筐体の変位に応じて当該端末筐体の向きが変更されたか否かを判別する機能と、当該端末筐体の向きが変更されたと判別された際に、第１情報に関連する第２情報を読み出して出力する機能と、を実現させるためのプログラムを特徴とする。
【発明の効果】
【００２１】
この発明によれば、特別なキー操作を行わなくても、ユーザの意思の下で第１情報に関連する第２情報を簡単に出力することができ、使い勝手の良い携帯端末装置を実現することができる。
【発明を実施するための最良の形態】
【００２２】
（実施形態１）
以下、図１〜図５を参照して本発明の第１実施形態を説明する。
この第１実施形態は、携帯端末装置として携帯電話装置に適用した場合を例示したもので、図１は、この携帯電話装置の外観図である。
携帯電話装置は、その装置本体を構成する複数の筐体の連結状態に応じて複数のスタイルに変更可能な２軸ヒンジタイプの電話装置であり、装置本体を構成する本体筐体Ａと表示部を有する表示筐体Ｂとを折り畳み開閉自在及び回動自在にヒンジ部Ｃを介して連結した２軸ヒンジタイプの携帯電話装置である。このヒンジ部Ｃには本体筐体Ａと表示筐体Ｂとを折り畳み開閉するための開閉用ヒンジ軸が設けられているほか、この開閉用ヒンジ軸と略直交して、一方の筐体を他方の筐体に対して回動するための回動用ヒンジ軸とが設けられており、このヒンジ部Ｃを介して本体筐体Ａと表示筐体Ｂとは折り畳み開閉自在及び回動自在に連結されている。
【００２３】
このような２軸ヒンジタイプの携帯電話装置は、本体筐体Ａと表示筐体Ｂとが、どのように連結されているかに応じて携帯電話装置の形態を複数のスタイル（クローズスタイル、オープンスタイル、反オープンスタイル、ビュースタイル）に変更可能なもので、図１（１）は、本体筐体Ａと表示筐体Ｂとの折り畳みを開いた状態のオープンスタイルを示している。なお、本体筐体Ａの内面には数値／文字キー、カーソルキーなどの各種のキーＫＹが配置され、また、表示筐体Ｂの内面には表示画面ＤＰが配置されている。この表示画面ＤＰはオープンスタイルで露出した状態となり、ユーザ側からその表示内容を視認可能となる。
【００２４】
図１（２）は、オープンスタイルから本体筐体Ａに対して表示筐体Ｂを１８０°回転させた状態の反オープンスタイルに変更したのち、この反オープンスタイルから本体筐体Ａに対して表示筐体Ｂを折り畳んだ状態のビュースタイルに変更した状態を示している。このビュースタイルでも表示画面ＤＰは露出した状態となり、ユーザ側からその表示内容を視認可能となっている。
【００２５】
図２は、携帯電話装置の基本的な構成要素を示したブロック図である。
この携帯電話装置は、通話機能、電子メール機能、インターネット接続機能（Ｗｅｂアクセス機能）のほか、入力音声を文字コードに変換する音声認識機能、英単語、漢字、歴史などを学習する学習機能などが備えられている。ＣＰＵ１は、記憶部２内の各種のプログラムに応じてこの携帯電話装置の全体動作を制御する中核的な中央演算処理装置である。記憶部２は、内部メモリであり、プログラム領域とデータ領域とを有し、このプログラム領域には、後述する図４に示す動作手順に応じて本実施形態を実現するためのプログラムが格納され、また、そのデータ領域には、後述する音声認識辞書ＶＤ、学習辞書ＳＤなどが設けられている。記録メディア３は、着脱自在な可搬型メモリ（外部メモリ）で、例えば、ＳＤカード、ＩＣカードなどによって構成され、撮影画像などを保存する。メモリ４は、ワーク領域を有する内部メモリであり、必要に応じてメモリ４内の各種のデータは、記憶部２にセーブされる。
【００２６】
電話通信部５は、無線部、ベースバンド部、多重分離部などを備え、例えば、通話機能、電子メール機能、インターネット接続機能の動作時に最寄りの基地局（図示せず）との間でデータの送受信を行う電話通信手段で、通話機能の動作時にはベースバンド部の受信側から信号を取り込んで受信ベースバンド信号に復調したのち、音声信号処理部６を介して通話用スピーカＳＰから音声出力させ、また、通話用マイクＭＣからの入力音声データを音声信号処理部６から取り込み、送信ベースバンド信号に符号化したのち、ベースバンド部の送信側に与えてアンテナから発信出力させる。
【００２７】
操作部７は、ダイヤル入力、文字入力、コマンド入力などを行うもので、上述した各種のキーＫＹが配置され、ＣＰＵ１は、操作部７からの入力信号に応じた処理を実行する。表示部８は、例えば、高精細液晶あるいは有機ＥＬを使用し、待受画像などを表示するもので、表示筐体Ｂに配置されている表示画面ＤＰを有している。この表示画面ＤＰは、長方形の画面でその全域には透明タッチパネルが積層配置されており、各種の指示ボタン（タッチ操作ボタン）をタッチ操作可能となっている。音声マイク９は、音声情報を入力するもので、ＣＰＵ１は、この音声マイク９から入力された音声情報を音声認識辞書ＶＤを用いて音声認識する。
【００２８】
スタイル検出部１０は、装置本体のスタイルを検出するもので、例えば、磁気センサ、マイクロスイッチ、機械的スイッチなどを有する構成で、ＣＰＵ１は、スタイル検出センサ１０からの各検出信号に基づいて装置本体の各スタイル（オープンスタイル、ビュースタイルなど）を判別するが、そのほかにオープンスタイル（第１スタイル）からビュースタイル（第２スタイル）への変更途中であるか否かを判別したり、第２スタイルから第１スタイルへの戻し変更が行われたか否かを判別したりするようにしている。なお、加速度センサ１１については、第２実施形態で詳述するものとする。
【００２９】
図３は、学習辞書ＳＤを説明するための図である。
この学習辞書ＳＤは、例えば、英単語、漢字、歴史などを学習するための学習用辞書であり、「ジャンル」、「問題情報」、「正解情報」、「ヒント情報」の各項目を有する構成となっている。「ジャンル」は、英単語、漢字、歴史などの学習対象のジャンルを示している。ここで、「問題情報」を第１情報とすると、「正解情報」、「ヒント情報」は、第１情報に関連する第２情報であり、第１情報に対応付けて記憶されている。なお、「ヒント情報」は、対応する問題の正解を示唆するための情報であり、１つの「問題情報」に対応して複数の「ヒント情報」を記憶可能となっている。ＣＰＵ１は、学習辞書ＳＤを参照し、会話形式（質問回答形式）で各問題を順次出題しながらその回答の正誤を判断するようにしている。
【００３０】
次に、この第１実施形態における携帯電話装置の動作概念を図４に示すフローチャートを参照して説明する。ここで、このフローチャートに記述されている各機能は、読み取り可能なプログラムコードの形態で格納されており、このプログラムコードに従った動作が逐次実行される。また、伝送媒体を介して伝送されてきた上述のプログラムコードに従った動作を逐次実行することもできる。このことは後述するほかの実施形態においても同様であり、記録媒体のほかに、伝送媒体を介して外部供給されたプログラム／データを利用してこの実施形態特有の動作を実行することもできる。なお、図４は、携帯電話装置の全体動作のうち、本実施形態の特徴部分の動作概要を示したフローチャートであり、この図４のフローから抜けた際には、全体動作のメインフロー（図示省略）に戻る。
【００３１】
図４は、学習機能の起動を指示する学習ボタンの操作に応答して実行開始される学習処理を示したフローチャートである。
先ず、ＣＰＵ１は、オープンスタイルにおいて学習ボタン（タッチ操作ボタン）が操作されると、英単語、漢字、歴史などのジャンルをメニュー項目として一覧表示する学習メニューを出力させる（ステップＡ１）。このメニュー画面の中から所望するメニュー項目が選択されると（ステップＡ２）、この選択項目（ジャンル）に対応する学習辞書ＳＤを使用可能なアクティブ状態とする（ステップＡ３）。そして、スタートボタン（タッチ操作ボタン）の操作待ち状態となる（ステップＡ４）。この状態において、スタートボタンが操作されると、学習辞書ＳＤから選択ジャンルの第１問を指定して（ステップＡ５）、その「問題情報」を読み出して表示画面ＤＰに出力させる（ステップＡ６）。
【００３２】
図５（１）は、オープンスタイルにおいて指定された問題情報が表示された状態を示した図で、歴史上の人物で、“日米和親条約を締結したアメリカ人”を問う問題が表示された場合である。この状態において回答入力の有無を調べる（ステップＡ７）。ここで、音声マイク９から回答が音声入力されたり、表示画面ＤＰ内の回答候補一覧の中からタッチ操作によって任意の回答が選択されたりすると（ステップＡ７でＹＥＳ）、この入力／選択された回答を一時記憶したのち（ステップＡ８）、スタイル検出部１０をアクセスしてスタイル変化の有無をチェックする（ステップＡ９）。すなわち、スタイル検出部１０からの検出信号に変化があったかを調べ、オープンスタイルのままであれば（ステップＡ９でＮＯ）、学習機能を終了させる終了操作が行われたかを調べ（ステップＡ１０）、以下、終了操作が行われるまで上述のステップＡ７に戻る。
【００３３】
いま、図５（１）に示すように指定された問題が表示されている状態において、その問題に対する回答が入力されたか否かに拘わらず、オープンスタイルが解除されてスタイル変化が検出されたときには（ステップＡ９でＹＥＳ）、スタイルの変更途中か、つまり、オープンスタイルからビュースタイルに変更するまでの変更途中であるかを調べる（ステップＡ１１）。いま、ビュースタイルへの変更途中であれば、指定問題に対応する「ヒント情報」を学習辞書ＳＤから読み出して、図５（２）に示すように表示画面ＤＰにポップアップ表示させる（ステップＡ１２）。図５（２）は、この問題に対するヒント情報として“黒船”がポップアップ表示された場合を示している。
【００３４】
この状態において、更にスタイル変化の有無をチェックし（ステップＡ１３）、スタイル変化が検出されたときには、オープンスタイルからビュースタイルへの完全変更かを調べる（ステップＡ１４）。いま、オープンスタイルからビュースタイルへの変更途中において、ビュースタイルに完全変更する前にオープンスタイルに戻されたときには（ステップＡ１４でＮＯ）、「ヒント情報」のポップアップ表示を消去すると共に（ステップＡ１５）、次の問題情報を指定したのち（ステップＡ２１）、上述のステップＡ６に戻り、この次の問題情報を表示させる。
【００３５】
また、オープンスタイルからビュースタイルに完全変更されたときには（ステップＡ１４でＹＥＳ）、指定問題に対応する「正解情報」を学習辞書ＳＤから読み出して、図５（３）に示すように表示画面ＤＰに表示させる（ステップＡ１６）。図５（３）は、歴史上の人物を問う問題の「正解情報」として、“ペリー”が表示された場合である。この場合、指定問題に代わってその「正解情報」を単独表示させるが、指定問題と共にその正解情報を並列表示させるようにしてもよい。
【００３６】
そして、このビュースタイルにおいてオープンスタイルに戻されるまで待ち状態となる（ステップＡ１７）。いま、オープンスタイルに戻されたときには、入力回答が一時記憶されているかを調べるが（ステップＡ１８）、該当する回答が記憶されていなければ、つまり、未回答であれば（ステップＡ１８でＮＯ）、次の問題を指定したのち（ステップＡ２１）、上述のステップＡ６に戻ってその指定問題を表示させる。また、回答済みであれば（ステップＡ１８でＹＥＳ）、入力された回答情報と「正解情報」とを照らし合わせてその正誤を判定し（ステップＡ１９）、正解であれば、次の問題情報を指定したのち（ステップＡ２１）、上述のステップＡ６に戻ってその指定問題を表示させる。また、不正解であれば（ステップＡ１９でＮＯ）、今回の問題を再指定したのち（ステップＡ２０）、上述のステップＡ６に戻ってその指定問題を表示させる。以下、上述の動作を繰り返す。
【００３７】
以上のように、この第１実施形態においてＣＰＵ１は、スタイル検出部１０で検出されたスタイルを判別し、第１スタイルの状態で指定された第１情報が表示部８に出力されている場合に、第２スタイルへの変更に応じて当該第１情報に関連する第２情報を表示部８に出力させるようにしたので、特別なキー操作を行わなくても、スタイルの変更というユーザの意思の下で第１情報に関連する第２情報を簡単に出力することができ、使い勝手の良い携帯電話装置を実現することができる。
【００３８】
また、第１情報に代えて第２情報を表示部８に出力させるようにしたので、表示内容を簡素化することができる。
【００３９】
第１スタイルから第２スタイルへの変更途中では、第１情報に関連する第２情報へのヒント情報を表示部８に出力させるようにしたので、第２スタイルに変更される前にヒント情報から回答を思い浮かんだような場合には、即座に第１スタイルに戻すことによって回答することが可能となる。
【００４０】
第１スタイルへの戻し変更が行われた場合に、第１情報とは異なる他の第１情報を指定して表示部に出力させるようにしたので、会話形式で各問題（第１情報）を順次出題するような場合に、スタイル戻し変更に応答して次の新たな問題を出題することができる。
【００４１】
第１情報に対してユーザ入力された回答が当該第１情報に関連する第２情報に該当すれば、第２スタイルから第１スタイルへの戻し変更に応答して第１情報とは異なる他の第１情報を表示部８に出力させるようにしたので、問題（第１情報）に対する回答が正解（第２情報）であれば、スタイル戻し変更に応答して次の新たな問題を出題することができる。
【００４２】
第１情報に対してユーザ入力された回答が当該第１情報に関連する第２情報に該当しなければ、第２スタイルから第１スタイルへの戻し変更に応答して第１情報を表示部８に再度出力させるようにしたので、問題（第１情報）に対する回答が不正解であれば、その問題に再挑戦することができる。
【００４３】
なお、上述した第１実施形態においては、複数のスタイルに変更可能な２軸ヒンジタイプの携帯電話装置に適用すると共に、第１スタイルをオープンスタイル、第２スタイルをビュースタイルとしたが、これとは逆に第１スタイルをビュースタイル、第２スタイルをオープンスタイルとしてもよく、ビュースタイルで問題情報を表示させ、オープンスタイルで正解情報を表示させるようにしてもよい。その他、携帯電話装置のタイプやスタイルはこれに限定されず、任意である。
【００４４】
また、オープンスタイルからビュースタイルへの変更途中において、複数のヒント情報を順次表示させるようにしてもよい。すなわち、本体筐体Ａに対する表示筐体Ｂの回転度合いに応じて複数のヒント情報を順次表示させるようにしてもよい。
また、上述した第１実施形態においては、ビュースタイルで正解情報を表示させるようにしたが、回答情報と共に、その正誤の判定結果を表示させるようにしてもよい。更に、問題情報、ヒント情報、正解情報の表示の仕方は任意である。
【００４５】
また、上述した第１実施形態においては、第１情報を問題情報、第２情報を正解情報、ヒント情報としたが、翻訳機能に適用した場合には、第１情報を翻訳対象である第１言語（例えば、日本語）、第２情報を翻訳結果である第２言語（例えば、英語）としてもよい。
【００４６】
（実施形態２）。
以下、この発明の第２実施形態について図６及び図７を参照して説明する。
なお、上述した第１実施形態においては、端末筐体のスタイルが変更された場合に、第１情報に関連する第２情報を表示するようにしたが、この第２実施形態においては、端末筐体の向きが変更された場合に、第１情報に関連する第２情報を出力するようにしたものである。ここで、両実施形態において基本的あるいは名称的に同一のものは、同一符号を付して示し、その説明を省略すると共に、以下、第２実施形態の特徴部分を中心に説明するものとする。
【００４７】
図２において加速度センサ１１は、携帯電話装置の筐体（端末筐体）の変位を検出するセンサであり、前後・左右方向（略水平方向）、上下方向（略鉛直方向）の加速度ベクトルを検出可能な３軸タイプのセンサである。ＣＰＵ１は、第１情報として「問題情報」が表示されている状態において、加速度センサ１１によって検出された端末筐体の変位に応じて当該端末筐体の向きが変更されたか否かを判別したり、端末筐体が上下に振られたか否かを判別したりするようにしている。
【００４８】
ここで、ＣＰＵ１は、端末筐体の向きが変更された際に、この「問題情報」に関連する第２情報として「正解情報」あるいは「ヒント情報」を表示させる。また、端末筐体が上下に振られた際には、次の新たな「問題情報」を表示させるようにしている。なお、端末筐体の向きが変更されたとは、略水平方向において所定角度以上回転されたことを意味し、端末筐体が上下に振られたとは、略鉛直方向において所定移動量の範囲内で上下動されたことを意味している。
【００４９】
図６は、第２実施形態において、学習機能の起動を指示する学習ボタンの操作に応答して実行開始される学習処理を示したフローチャートである。なお、図７は、端末筐体の向きに表示内容が変化する様子を具体的に示した図で、以下、図７を参照しながら学習処理を具体的に説明する。
先ず、ＣＰＵ１は、英単語、漢字、歴史などのジャンルをメニュー項目として一覧表示する学習メニューを出力させる（ステップＢ１）。このメニュー画面の中から所望するメニュー項目が選択されると（ステップＢ２）、この選択項目（ジャンル）に対応する学習辞書ＳＤを使用可能なアクティブ状態とする（ステップＢ３）。そして、スタートボタン（タッチ操作ボタン）の操作待ち状態となる（ステップＢ４）。
【００５０】
この状態において、スタートボタンが操作されると（ステップＢ４）、加速度センサ１１によって検出された端末筐体の変位を取得する（ステップＢ５）。そして、この端末筐体の変位に基づいて端末筐体の向きを決定したのち（ステップＢ６）、学習辞書ＳＤから選択ジャンルの第１問を指定して（ステップＢ７）、その「問題情報」を読み出すと共に端末筐体の向きに応じて当該「問題情報」を表示画面ＤＰに出力させる（ステップＢ８）。図７（１）は、表示画面ＤＰが横長となるように端末筐体が横向きで把持されている状態を示し、「問題情報」の表示向きを端末筐体の向きに合わせることができ、「問題情報」は正立した状態で横書き表示される。なお、表示画面ＤＰが縦長となるように端末筐体が縦向きで把持されている状態においても、「問題情報」の表示向きを端末筐体の向きに合わせることができる。
【００５１】
この状態において、加速度センサ１１によって端末筐体の変位が検出されたかを調べ（ステップＢ９）、端末筐体が変位していなければ、学習モードの終了を指示する終了操作が行われるまで（ステップＢ１０）、上述のステップＢ９に戻り、端末筐体が変位したかを調べる。いま、加速度センサ１１によって端末筐体の変位が検出されると（ステップＢ９でＹＥＳ）、ＣＰＵ１は、その変位状況（所定時間当たりの振動数や振動の大きさなど）に基づいて端末筐体が上下に振られたかを調べる（ステップＢ１１）。例えば、所定時間当たりの振動数は１秒間に２回以上、振動の大きさは２cm以上の場合に端末筐体が上下に振られたと判断する。
【００５２】
端末筐体が上下に振られなければ（ステップＢ１１でＮＯ）、加速度センサ１１によって検出された端末筐体の変位に基づいて端末筐体の向きが変更されたかを調べるが（ステップＢ１２）、向きが変更されるほどの変位でなければ（ステップＢ１２でＮＯ）、この変位を無視するために上述のステップＢ９に戻るが、端末筐体の向きが変更されたときには（ステップＢ１２でＹＥＳ）、その向きの変更度合いを判別する（ステップＢ１３）。すなわち、向きの変更度合いが８０度〜９０度の範囲内か（ステップＢ１４）、３０度〜８０度の範囲内かを調べる（ステップＢ１５）。
【００５３】
いま、向きの変更度合いが８０度〜９０度の範囲でも３０度〜８０度の範囲でもなければ（ステップＢ１５でＮＯ）、例えば、３０度未満であったり、９０度を超えたりしたときには、表示内容を変更せず、元の「問題情報」のみが表示されている状態で上述のステップＢ９に戻るが、向きの変更度合いが３０度〜８０度の範囲内であれば（ステップＢ１５でＹＥＳ）、その変更度合いに応じた「ヒント情報」を学習辞書ＳＤから読み出し（ステップＢ１６）、この変更度合いに応じた表示向きで当該「ヒント情報」を「問題情報」の一部に重ね合わせて表示させる（ステップＢ１７）。
【００５４】
ここで、学習辞書ＳＤにおいて、１つの「問題情報」に対応して複数の「ヒント情報」が記憶されていると共に、この各「ヒント情報」は向きの変更度合いに対応付けられている。例えば、３０度〜５０度の範囲に対応付けられている「ヒント情報」と５０度〜８０度の範囲に対応付けられている「ヒント情報」のように、学習辞書ＳＤには１つの「問題情報」に対応して複数の「ヒント情報」が向きの変更度合いに対応して記憶されている。
【００５５】
いま、英単語学習において図７（１）に示すように横向き画面に “environment”の訳を問う「問題情報」が表示されている状態において、端末筐体の向きが変更されて図７（２）に示すように端末筐体の向きが３０度〜５０度の範囲内で変更されたものとすると、この３０度〜５０度に対応付けられている「ヒント情報」として“名詞です”を読み出し、変更度合いに応じた表示向きで「問題情報」の一部に重ね合わせて表示させる。この図７（２）は、図７（１）に示す状態（表示画面ＤＰが横向きの状態）から端末筐体を時計方向に、例えば、３５度回転させた状態を示した図で、この端末筐体の向きに応じて「ヒント情報」を反時計方向に３５度回転して表示させることによって、「ヒント情報」は端末筐体の向きに拘わらずに左右方向に横書き表示される。
【００５６】
その後、上述のステップＢ９に戻り、引き続いて端末筐体の向きが変更されたものとする（ステップＢ１２でＹＥＳ）。この場合、その変更度合いが５０度〜８０度の範囲内であれば（ステップＢ１５でＹＥＳ）、図７（３）に示すように、それに対応付けられている「ヒント情報」として“○○破壊が世界的な問題です”を読み出し（ステップＢ１６）、「ヒント情報」を変更度合いに応じた表示向きで「問題情報」の一部に重ね合わせて表示させる（ステップＢ１７）。図７（３）は、図７（１）に示す状態（表示画面ＤＰが横向きの状態）から端末筐体を時計方向に８０度回転させた状態を示した図で、この端末筐体の向きに応じて「ヒント情報」を反時計方向に８０度回転して表示させることによって、「ヒント情報」は端末筐体の向きに拘わらず、図７（２）と同様に左右方向に横書き表示される。
【００５７】
更に、端末筐体の向きが変更され（ステップＢ１２でＹＥＳ）、その変更度合いが８０度〜９０度の範囲であれば（ステップＢ１４でＹＥＳ）、図７（４）に示すように、この「問題情報」に対する「正解情報」を読み出し、この「正解情報」を９０度回転した向きで「問題情報」の一部に重ね合わせて表示させる（ステップＢ１９）。その後、上述のステップＢ９に戻る。
【００５８】
他方、端末筐体が上下に振られた場合には（ステップＢ１１でＹＥＳ）、表示画面ＤＰの内容を消去して、学習辞書ＳＤから次の「問題情報」を指定したのち（ステップＢ１８）、上述のステップＢ８に戻り、端末筐体の向きに応じて当該指定問題を表示させる。以下、上述の動作を繰り返す。
【００５９】
以上のように、この第２実施形態においてＣＰＵ１は、指定された第１情報の出力後に加速度センサ１１によって検出された端末筐体の変位に基づいて端末筐体の向きが変更されたと判別した際に、第１情報に関連する第２情報を読み出して出力させるようにしたので、特別なキー操作を行わなくても、端末筐体の向きの変更というユーザの意思の下で第１情報に関連する第２情報を簡単に出力することができ、使い勝手の良い携帯端末装置を実現することができる。
【００６０】
第１情報「問題情報」に対応する複数の第２情報「ヒント情報」の中から端末筐体の向きが変更された際の変更度合いに対応付けられている「ヒント情報」を読み出して出力させるようにしたので、例えば、変更度合いに応じて異なるヒント情報を順次確認することができ、その問題に対して答え易くなる。
【００６１】
第１情報に関連する第２情報を当該第１情報の一部に重ね合わせて表示させるようにしたので、例えば、問題の一部を見ながらヒントを見ることができ、その問題に対して答え易くなる。
【００６２】
第１情報が指定されたときの端末筐体の向きに合わせて当該第１情報を表示させるようにしたので、例えば、図７（１）あるいは図８に示すように、指定された「問題情報」の表示向きを端末筐体の向きに合わせることができる。
【００６３】
端末筐体の向きが変更された際に、変更された向きに応じて第２情報の向きを変更して表示させるようにしたので、例えば、図７（２）〜（４）に示すように第２情報は、端末筐体の向きに拘わらず、常に左右方向に表示されるので、ユーザにあっては見易くなる。
【００６４】
端末筐体が振られた場合に、新たな第１情報を指定して出力させるようにしたので、例えば、端末筐体を振るだけで次の問題を出力させることができる。
【００６５】
なお、上述した第２実施形態においては、第１情報に関連する第２情報を当該第１情報の一部に重ね合わせて表示させるようにしたが、第１情報に関連する第２情報を当該第１情報に代えて表示させるようにすればよい。これによって表示内容を簡素化することができる。
【００６６】
また、上述した第２実施形態においては、端末筐体の向きを略水平方向において端末筐体を回転させた場合を示したが、略鉛直方向に端末筐体を回転させた場合の向きであってもよい。例えば、端末筐体の手前側が高くその反対側が低くなるように端末筐体を回転させることによって端末筐体の向きを変更するようにしてもよい。
【００６７】
上述した第２実施形態においては、端末筐体の上下の振りに検出するようにしたが、端末筐体の左右の振りを検出するようにしてもよい。また、端末筐体の上下の振りと左右の振りとで異なるように制御するようにしてもよい。
【００６８】
また、上述した第２実施形態においては、第１情報とそれに関連する第２情報を表示するようにしたが、第１情報、第２情報を何れか一方あるいは両方を音声で出力するようにしてもよい。
【００６９】
また、上述した第１及び第２実施形態においては、第１情報を問題情報、第２情報を正解情報、ヒント情報としたが、翻訳機能に適用した場合には、第１情報を翻訳対象である第１言語（例えば、日本語）、第２情報を翻訳結果である第２言語（例えば、英語）としてもよい。
その他、携帯端末装置としては、携帯電話装置に限らず、例えば、ＰＤＡ（個人用の携帯情報端末）などであってもよい。
【図面の簡単な説明】
【００７０】
【図１】携帯端末装置として適用した携帯電話装置の外観図で、（１）はオープンスタイル、（２）は反オープンスタイル、（３）はビュースタイルを示した図。
【図２】携帯電話装置の基本的な構成要素を示したブロック図。
【図３】学習辞書ＳＤを説明するための図。
【図４】学習機能の起動を指示する学習ボタンの操作に応答して実行開始される学習処理を示したフローチャート。
【図５】（１）は、オープンスタイルで指定問題が表示されている状態を示した図、（２）は、指定問題に対応する「ヒント情報」ポップアップ表示させた状態を示した図。
【図６】第２実施形態において、学習機能の起動を指示する学習ボタンの操作に応答して実行開始される学習処理を示したフローチャート。
【図７】表示画面ＤＰが横長となるように端末筐体が横向きで把持されている状態において、（１）〜（４）は、この端末筐体の向きに応じて表示内容が変化する様子を具体的に示した図。
【符号の説明】
【００７１】
１  ＣＰＵ
２  記憶部
７  操作部
８  表示部
９  音声マイク
１０  スタイル検出部
１１  加速度センサ
Ａ  本体筐体
Ｂ  表示筐体
ＤＰ  表示画面
ＳＤ  学習辞書
ＶＤ  音声認識辞書
【図１】
2010041635.tif 000003
【図２】
2010041635.tif 000004
【図３】
2010041635.tif 000005
【図４】
2010041635.tif 000006
【図５】
2010041635.tif 000007
【図６】
2010041635.tif 000008
【図７】
2010041635.tif 000009